(57)【要約】【課題】プリント紙相当の表示解像度を有する領域に加えて、キー入力等のフィードバック表示に利用可能な表示応答性を有した領域をも備えたシート媒体およびそれを用いた通信端末装置を提供する。【解決手段】対向する一対の透明電極２の間に電界により光学的特性が可逆的に変化するシート状の媒体７を配置し、この一対の透明電極２により電界が制御される第１の領域である領域Ａと、媒体７上を移動する外部書き込み装置５により電界が制御される第２の領域である領域Ｂとに媒体７を区分したことを特徴とするシート媒体１。【選択図】図１
2005326543.tif 000002
【特許請求の範囲】
【請求項１】
対向する一対の電極の間に電界により光学的特性が可逆的に変化するシート状の媒体を第１の領域および第２の領域とに区分したシート媒体であって、
前記第１の領域は、前記媒体を一対の電極の間に配置し、前記一対の電極により電界が制御され、
前記第２の領域は、前記媒体上を移動する外部書き込み装置により電界が制御されることを特徴とするシート媒体。
【請求項２】
前記第１の領域における対向する前記一対の電極が、マトリクス状に配置されていることを特徴とする請求項１記載のシート媒体。
【請求項３】
前記第１の領域における対向する前記一対の電極が、所定パターンで配置されていることを特徴とする請求項１記載のシート媒体。
【請求項４】
前記第２の領域には、前記媒体の前記第２の領域全体の広さを有する平面状の電極が片側面に配置されていることを特徴とする請求項１から３のいずれかの項に記載のシート媒体。
【請求項５】
前記第２の領域には、前記媒体の前記第２の領域全体の広さを有する平面状の電極が配置されており、この平面状の電極は前記第１の領域を制御するドライバＩＣが制御することを特徴とする請求項１から３のいずれかの項に記載のシート媒体。
【請求項６】
前記第２の領域を制御する前記外部書き込み装置は、前記媒体に、コロナイオンを照射して電界を発生させることを特徴とする請求項１から５のいずれかの項に記載のシート媒体。
【請求項７】
前記第２の領域を制御する前記外部書き込み装置は、前記媒体に光を照射する機能を有し、前記第２の領域に光が照射された部分が低抵抗となる光導電効果を有する層が設けられたことを特徴とする請求項１から５のいずれかの項に記載のシート媒体。
【請求項８】
請求項１から７のいずれかの項に記載のシート媒体を表示手段として用いたことを特徴とする通信端末装置。
【発明の詳細な説明】
【技術分野】
【０００１】
本発明は、電界の作用によって光学的特性が可逆的に変化するシート媒体およびそれを用いた通信端末装置に関する。
【背景技術】
【０００２】
従来のシート媒体としては、例えば、（特許文献１）に記載のものがある。この（特許文献１）に記載のシート媒体を図８に示す。図８において、シート媒体は、対向する一対のガラス板やフィルム基板からなる透明部材１０１の対向面に各々形成された透明電極１０２の間には、電気泳動粒子１０３を分散媒中に分散させた分散系１０４を予めマイクロカプセル化手法で個々に封入した多数のマイクロカプセル１０５を配装するように構成されている。以上のように構成されたシート媒体では、各々の透明電極１０２に接続されたドライバＩＣ（図示せず）から所定の電圧が印加されることにより所期の表示を行っている。
【特許文献１】特許第２５５１７８３号公報
【発明の開示】
【発明が解決しようとする課題】
【０００３】
しかしながら、前記従来のシート媒体は、パターニングされた透明電極を備えた構成のため、表示解像度が電極サイズで決定されるので、紙に印字されたプリント（３００ＤＰＩ）並みに表示できないという課題を有している。ここで、表示解像度を上げるため電極サイズを小さくすると、電極パターニング工程での歩留まりが悪化し、それに接続するドライバＩＣとの接続本数が増えるので高価格なものとなってしまうという課題が発生する。
【０００４】
本発明は、前記従来課題を解決するもので、プリント紙相当の表示解像度を有する領域に加えて、キー入力等のフィードバック表示に利用可能な表示応答性を有した領域をも備えたシート媒体を提供することを目的とする。
【課題を解決するための手段】
【０００５】
前記従来の課題を解決するため、本発明のシート媒体は、対向する一対の電極ではさまれ、この電極により電界が制御される第１の領域と、媒体上を移動する外部書き込み装置により電界が制御される第２の領域とを有し、表示応答性が要求される場合には第１の領域で表示させ、高解像度表示が要求される場合には第２の領域で表示させる。
【発明の効果】
【０００６】
本発明のシート媒体によれば、表示応答性が要求される場合では、例えばキーボードからの入力表示では、入力内容が素早くフィードバック表示されるので使いやすい。表示解像度が要求される場合では、例えば多くのテキストを含んだ文書等の表示では、高解像度表示されるので読みやすくなるので、目的及び用途に応じてそれに相応しい表示領域が利用されるため利用者にとって快適な操作や利便性を向上することができる。
【０００７】
このシート媒体をキー入力や通信機能を有したファクシミリ等の端末の表示部に適用すれば、高解像度表示領域にて快適に内容を確認することができるので、紙への印字機会を減らすことが可能となるため環境負荷を低減でき、ランニングコストも抑制することもできる。
【発明を実施するための最良の形態】
【０００８】
本願の第１の発明は、対向する一対の電極の間に電界により光学的特性が可逆的に変化するシート状の媒体を第１の領域および第２の領域とに区分したシート媒体であって、第１の領域は、媒体を一対の電極の間に配置し、一対の電極により電界が制御され、第２の領域は、媒体上を移動する外部書き込み装置により電界が制御されることを特徴としたものであり、このシート媒体は、一対の電極によりリアルタイム表示可能な領域（第１の領域）と、移動する外部書き込み装置により高解像度表示可能な領域（第２の領域）を有するので、利用者にとって快適な操作環境と読みやすい表示が提供されるので利便性が大幅に向上する。
【０００９】
本願の第２の発明は、第１の領域における対向する一対の電極が、マトリクス状に配置されていることを特徴としたものであり、マトリクス状電極を制御することで、所望とする箇所に電界を発生させることができるので、所期の情報を媒体に書き込むことができる。
【００１０】
本願の第３の発明は、第１の領域における対向する一対の電極が、所定パターンで配置されていることを特徴としたものであり、電極を所定パターンとすることで、媒体に書き込む内容の自由度は制限されるものの、電極数を少ないものとすることができるので、リアルタイムに表示することができる。
【００１１】
本願の第４の発明は、第２の領域には、媒体の第２の領域の全体の広さを有する平面状の電極が片側面に配置されていることを特徴としたものであり、基準になる電極との距離が近いため媒体を変化させるのに必要な電位差を小さくすることできるので、第２の領域を制御する外部書き込み装置の耐圧レベルを下げることが可能となる。
【００１２】
本願の第５の発明は、第２の領域には、媒体の第２の領域の広さを有する平面状の電極が配置されており、この平面状の電極は第１の領域を制御するドライバＩＣが制御することを特徴としたものであり、ドライバＩＣの出力電圧を利用することができるので、第２の領域を制御する外部書き込み装置の耐圧レベルを、更に下げることが可能となる。
【００１３】
本願の第６の発明は、第２の領域を制御する外部書き込み装置は、媒体に、コロナイオンを照射して電界を発生させることを特徴としたものであり、第２の領域のシート面とは非接触で書き込むことができるので、シート媒体および外部書き込み装置ともにダメージを受けないため長寿命化が可能となる。
【００１４】
本願の第７の発明は、第２の領域を制御する外部書き込み装置は、媒体に光を照射する機能を有し、第２の領域に光が照射された部分が低抵抗となる光導電効果を有する層が設けられたことを特徴としたものであり、解像度が光照射スポットサイズで決まるので超高解像度書き込みが可能となる。さらに非接触での書き込みとなるので長寿命化が可能となる。
【００１５】
本願の第８の発明は、シート媒体を表示手段として用いたことを特徴とする通信端末装置である。これにより、紙への印字機会を減らすことが可能となるため環境負荷を低減でき、ランニングコストも抑制することもできる。
【００１６】
以下に、本発明の実施の形態について、図面を参照しながら説明する。
【００１７】
（実施の形態１）
図１は、本発明の実施の形態１におけるシート媒体の平面図、図２は本発明の実施の形態１におけるシート媒体の断面図、図３は本発明の実施の形態１における外部書き込み装置に備えられたライン型ヘッドの断面図である。図１、及び図２において、シート媒体１
は、対向する一対のガラス板やフィルム基板からなる透明部材６の対向面に各々形成された透明電極２の間に、電界の作用により光学的特性が可逆的に変化する媒体７が配置されている第１の領域である領域Ａと、透明部材６に透明電極が形成されずに前記媒体７が配置されている第２の領域である領域Ｂとから構成される。
【００１８】
ここで、領域Ａにおける透明電極２は、マトリクス状に配置されており、行電極ドライバＩＣ３及び列電極ドライバＩＣ４に接続されている。一方、領域Ｂにはコロナイオンを選択的に発生するライン型ヘッドを備えた外部書き込み装置５が配置される。
【００１９】
図３において、外部書き込み装置５のライン型ヘッドは、コロナイオンを発生するイオン源１０は、コロナワイヤ１１に高電圧を印加（図示せず）することでコロナイオンを発生させる。制御電極である上部電極９ａと下部電極９ｂは、コロナワイヤ１１から発生したコロナイオンを制御する。上部電極９ａと下部電極９ｂとは、所定間隔で配置され、中央にそれぞれ設けられた孔をコロナイオンが通過できるように形成されている。これらの制御電極が複数並べられることによってライン型ヘッドを構成する。また、上部電極９ａと下部電極９ｂは制御電源１２と接続され、さらにバイアス電源１３とも接続され基準電極８に対して所定バイアスがかかる構成としてある。
【００２０】
以上のように構成されたシート媒体１の表示動作について図１から図３を用いて説明する。
【００２１】
まず、キーボード（図示せず）から入力した内容を表示する場合には、入力されたキーボードから情報に基づいて行電極ドライバＩＣ３及び列電極ドライバＩＣ４から透明電極２に所定電圧を印加することで領域Ａにて所期の表示が行われる。そのため表示解像度は、透明電極２のサイズに依存することになるので紙に印字されたプリント並みには表示されない。しかし、キーボードからの入力した内容程度であれば、その表示の応答性は媒体７の反応速度に依存するところではあるが、ほぼリアルタイムに表示される。これは、媒体７がメモリ効果（電界をなくしてもその表示を保持する）を有しているため、キーボードからの入力に応じて行電極ドライバＩＣ３が表示対象に該当する領域Ａの範囲内のみスキャンすればよいためスキャンしていく本数が限定されるのでリアルタイム表示が可能となる。
【００２２】
次に、多くのテキストを含んだ文書等の表示を行う場合には、領域Ｂにて外部書き込み装置５が図１中Ｘの方向へ移動しながら表示のための電界を与えていくことで所期の表示が行われる。その表示動作についてさらに図３を用いて詳細に説明をする。
【００２３】
いま、上部電極９ａが−、下部電極９ｂが＋になるように制御電源１２を設定する（図中Ｌ側にスイッチを接続する）と電界方向が下から上になるのでコロナイオン（この場合では−）が通過し、上部電極９ａが＋、下部電極９ｂが−になるように制御電源１２を設定する（図中Ｒ側にスイッチを接続する）と電界方向が上から下になるのでコロナイオン（この場合では−）が通過できない。
【００２４】
この原理にて媒体７上には、情報に応じたコロナイオンによる静電像が形成されるため、これら静電像と基準電極８とに図中Ｅ１のような電界が発生することになり、媒体７に所期の情報を書き込むことができる。
【００２５】
媒体７に書き込んだ情報を消去する場合は、コロナワイヤ１１に書き込み動作とは逆の極性の電位を加え、コロナイオンを通過可能な状態にして走査すれば、書き込み時とは逆の極性のコロナイオンが媒体７上に発生し、情報は消去される。そのため表示解像度が、外部書き込み装置５に備えられたライン型ヘッドの解像度に依存することになるので、紙
に印字されたプリント並みの表示も可能となる。
【００２６】
一方、表示の応答性は媒体７の反応速度に依存するところではあるが、ライン型ヘッドを図１に示すようにＸ方向に移動させなければならないので、領域Ａのようにリアルタイムに表示するのは困難となる。
【００２７】
かかる構成によれば電界の作用によって光学的特性が可逆的に変化するシート状の媒体７が、対向する一対の透明電極２ではさまれ、この透明電極２により電界が制御される第１の領域である領域Ａと、外部書き込み装置５により電界が制御される第２の領域である領域Ｂとに区分されたことにより、リアルタイム表示可能な領域と高解像度表示可能な領域を有することになるので、利用者にとって快適な操作環境と読みやすい表示が提供されるので利便性が大幅に向上する。
【００２８】
また、媒体７全面に渡って透明電極２をパターニングする必要がないので製造の歩留りが向上するためシート媒体１を安価に提供することが可能となる。
【００２９】
ここで説明した媒体７としては、マイクロカプセルを用いた電気泳動シート、ゼロックス社よりジャイリコン（商標）という名称をつけて報告されているツイストボール方式のシート、さらにメモリ性を有する液晶等、各種電界駆動方式のメモリ性を有する媒体を使用することができる。
【００３０】
なお、本実施の形態において、外部書き込み装置５のライン型ヘッドとしてコロナイオンを一様に発生させ、制御電極で選択する方式を示したが、高電圧を印加した金属電極を加熱することでイオンを選択的に発生する方式としてもよい。
【００３１】
また、本実施の形態において、媒体７に表示した内容を消去する場合は、コロナワイヤ１１に表示動作とは逆の極性の電位を加え、コロナイオンを通過可能な状態にして走査する方式を示したが、表示のためのライン型ヘッドと消去のためのライン型ヘッドをそれぞれ備えることで、消去、書き込みを一連の動作で行う方式としてもよい。その際、消去のためのライン型ヘッドは、単なる電極であっても、コロナイオンを発生する方式でもよい。
【００３２】
さらに、本実施の形態において、領域Ａにおける透明電極２として行電極と列電極とが直行してなるマトリクス構造を示したが、一方の片面を領域Ａ全体の広さとした平面状電極（べた電極）、他方の片面を所定サイズの画素電極とトランジスタ等のスイッチング素子とからなる構成としてもよい。
【００３３】
さらに、本実施の形態において、外部書き込み装置５のライン型ヘッドとして、媒体７とは非接触にて表示動作を行う方式を示したが、所定の高解像度のヘッド電極を有し、そのヘッド電極を媒体７に接触させ、選択的に電圧を印加させることで表示動作を行わせてもよい。ただし、媒体７の寿命の観点からは、ライン型ヘッドが媒体に非接触となる方式が望ましい。
【００３４】
（実施の形態２）
図４は、本発明の実施の形態２におけるシート媒体の平面図である。図４において、図１と同じ構成要素については同じ符号を用い、説明を省略する。
【００３５】
本実施の形態では、領域Ａにおいて対向する一対の電極１４が、所定パターン（この場合では７セグメントタイプ）で配置されていること以外は、実施の形態１と全て同じである。
【００３６】
以上のように構成されたシート媒体１の表示動作について図４を用いて説明する。
【００３７】
まず、例えば電話をかけるためにダイヤル（図示せず）から電話番号を入力すると、入力された情報に基づいて所定位置の電極１４間に電圧が印加されるようにドライバＩＣ（図示せず）が制御することにより領域Ａにおいて入力された電話番号の数字に応じた表示が行われる。
【００３８】
この場合、実施の形態１に比べて表示される内容の自由度は制限されるものの、ダイヤルから入力された数字はリアルタイムに表示することができる。これは、７セグメントを構成する電極１４は電極数をマトリクス状に構成する場合に比べて少なくできるため電極１４とドライバＩＣの数を１：１に対応させることができるようになる。従って、実施の形態１に比べて、よりリアルタイムな表示が可能となる。
【００３９】
さらに、電極１４の電極数が少ないためドライバＩＣとの接続数も減らすことができるので実施の形態１に比べてシート媒体及びそれを使った表示システムを安価にすることができる。
【００４０】
多くのテキストを含んだ文書等の表示を行う場合については、実施の形態１と全て同じであるので説明は省略する。
【００４１】
かかる構成によれば、電界の作用によって光学的特性が可逆的に変化するシート状の媒体７が、対向する一対の透明電極２ではさまれ、この透明電極２を所定パターンで配置し、この透明電極２により電界が制御される第１の領域である領域Ａと、外部書き込み装置５により電界が制御される第２の領域とに区分されたことにより、リアルタイム表示可能な領域と高解像度表示可能な領域を有することになるので、使用者は目的及び用途に応じてそれに相応しい表示領域を利用できるため利便性が大幅に向上すると共に、シート媒体を含んだ表示システムを安価に提供することができる。
【００４２】
（実施の形態３）
図５は、本発明の実施の形態３におけるシート媒体の断面図である。図５において、図１及び図２と同じ構成要素については同じ符号を用い、説明を省略する。
【００４３】
本実施の形態では、領域Ｂにおいて、対向する一対の透明部材６の一方の片側面に領域Ｂ全体の広さとした平面状電極（べた電極）１５が設けられ、このべた電極１５は列電極ドライバＩＣ４に接続されている以外は、実施の形態１と全て同じである。
【００４４】
以上のように構成されたシート媒体１の表示動作について図５を用いて説明するが、領域Ａでの表示動作については実施の形態１と同じなので説明は省略し、領域Ｂでの表示動作について実施の形態１と異なるポイントを中心に説明する。
【００４５】
領域Ｂにて多くのテキストを含んだ文書等の表示を行う場合には、外部書き込み装置５が図５中Ｘの方向へ移動しながら表示のための電界を与えていくことで所期の表示が行われる。その表示動作については図３及び図５を用いて詳細に説明をする。
【００４６】
いま、上部電極９ａが−、下部電極９ｂが＋になるように制御電源１２を設定する（図中Ｌ側にスイッチを接続する）と電界方向が下から上になるのでコロナイオン（この場合では−）が通過し、上部電極９ａが＋、下部電極９ｂが−になるように制御電源１２を設定する（図中Ｒ側にスイッチを接続する）と電界方向が上から下になるのでコロナイオン（この場合では−）が通過できない。
【００４７】
図５に示すように、この原理にて媒体７上には、情報に応じたコロナイオンによる静電像が形成されるため、べた電極１５に接続される列電極ドライバＩＣ４の出力を基準電位に設定すれば、これら静電像とべた電極１５とに図中Ｅ２のような電界が発生することになり、媒体７に所期の情報を書き込むことができる。
【００４８】
ここで、実施の形態１と比較すると、静電像と基準になる電極との距離が近いため媒体７を変化させるのに必要な静電像の電位を小さくすることができるので、制御電源１２の耐圧レベルを下げることが可能となる。また、図３に示す媒体７外側の基準電極８を基準にする場合では媒体７と基準電極８を一様に密着させないと媒体７の電界強度が、場所によって異なってしまい表示ムラになってしまうが、媒体７の内部のべた電極１５が列電極ドライバＩＣ４に接続され、この電位を基準とすることができるため表示ムラになることがなない。
【００４９】
かかる構成によれば電界の作用によって光学的特性が可逆的に変化するシート状の媒体７が、対向する一対の透明電極２ではさまれ、この透明電極２により電界が制御される第１の領域である領域Ａと、外部書き込み装置５により電界が制御される第２の領域である領域Ｂとに区分され、領域Ｂには媒体７の片面側に全体の広さを有する平面状の電極（べた電極１５）を備えたことにより、リアルタイム表示可能な領域と高解像度表示可能な領域を有することになるので、使用者は目的及び用途に応じてそれに相応しい表示領域を利用できるため利便性が大幅に向上すると共に、高解像度表示領域を表示ムラのない信頼性の高いシート媒体として提供することができる。さらに耐圧の低い部材を使用することができるのでシート媒体を含んだ表示システムを安価に提供することができる。
【００５０】
（実施の形態４）
図６は、本発明の実施の形態４におけるシート媒体の断面図である。図６において、図５と同じ構成要素については同じ符号を用い、説明を省略する。
【００５１】
本実施の形態では、外部書き込み装置として光ラインヘッド１６、領域Ｂにおいて対向する一対の透明部材６の両側にべた電極１５、さらに片側のべた電極１５に貼り合わせるように光導電層１７が設けられている。このべた電極１５は領域Ａを制御する行電極ドライバＩＣ３（図１参照）及び列電極ドライバＩＣ４に接続されている以外は、実施の形態３と全て同じである。
【００５２】
以上のように構成されたシート媒体１の表示動作について図６を用いて説明するが、領域Ａでの表示動作については実施の形態１と同じなので説明は省略し、領域Ｂでの表示動作について実施の形態３と異なるポイントを中心に説明する。
【００５３】
領域Ｂにて多くのテキストを含んだ文書等の表示を行う場合には、外部書き込み装置として光ラインヘッド１６が図６中Ｘの方向へ移動しながら光を照射して電界を与えることで所期の表示が行われる。その表示動作については図６を用いて詳細に説明する。
【００５４】
行電極ドライバＩＣ３及び列電極ドライバＩＣ４によりべた電極１５の間に電圧を印加しながら光導電層１７に表示のための光を光ラインヘッド１６が照射する。ここで光導電層１７は、通常は高抵抗であり、光を照射した部分の抵抗が光導電効果により低下する特性を持つ。
【００５５】
このように光導電層１７に光ラインヘッド１６からの光が照射された部分では光導電層１７の抵抗が小さくなるのでべた電極１５間に印加した電圧は電界の作用により光学的特性が可逆的に変化する媒体７にかかり、媒体７は初期状態に変化する。一方、光が照射さ
れない部分では光導電層１７は高抵抗のため印加電圧の大部分が光導電層１７にかかるため媒体７は変化しない。これにより所期の表示を行うことができる。
【００５６】
ここで、表示の解像度が光ラインヘッド１６の解像度になるため実施の形態１と比較するとさらなる高解像度表示が可能となる。
【００５７】
かかる構成によれば電界の作用によって光学的特性が可逆的に変化するシート状の媒体７が、対向する一対の透明電極２ではさまれ、この透明電極２により電界が制御される第１の領域である領域Ａと、外部書き込み装置により電界が制御される第２の領域である領域Ｂとに区分され、領域Ｂには媒体７を挟むように領域Ｂ全体の広さを有した平面状の電極（べた電極）１５と、一方のべた電極１５に貼り合わせるように設けた光導電層１７と、領域Ｂの上面を移動する光ラインヘッド１６を備えたことにより、リアルタイム表示可能な領域と超高解像度表示可能な領域を有することになるので、使用者は目的及び用途に応じてそれに相応しい表示領域を利用できるため利便性が大幅に向上する。
【００５８】
なお、本実施の形態において、外部書き込み装置として光ラインヘッドを用いたが、ラインヘッド構成をとらずに、１つの光ヘッドをポリゴンミラーによって走査する方式を用いてもよい。
【００５９】
（実施の形態５）
図７は、本発明の実施の形態５におけるシート媒体を用いた通信端末の構成図である。通信端末の一例としてのファクシミリ端末装置１８は、キー入力手段１９、通信手段２０、制御手段２１、及びその表示部としてシート媒体１とから構成される。
【００６０】
以上のように構成された通信端末装置の代表例としてファクシミリ端末装置１８に応用した場合の動作について図７を用いて説明する。
【００６１】
まず、文書を送信するために、キー入力手段１９から送信先ファクシミリ番号を入力する。すると制御手段２１は、入力されたキー入力に基づいて行電極ドライバ３及び列電極ドライバ４を制御して透明電極２に所定電圧を印加することで、媒体７の領域Ａに入力されたファクシミリ番号をリアルタイムに表示させる。入力が終了すると、送付文書を所定箇所にセットし、スタートボタン（図示せず）を押せば、通信手段２０を経由して文章は送信される。この時、媒体７の領域Ａには、ファクシミリ端末装置１８の状態を示す情報（例えば、文章送信中）や引き続き要求する指示（スタートボタンを押してください）等を表示すれば、利用者の利便性がさらに向上する。
【００６２】
次に、相手先から送られてきた文章を受信する場合には、制御手段２１は、通信手段２０を経由して受信したデータに基づいて、領域Ｂにて外部書き込み装置５を図１中Ｘのほうへ移動させながら表示のための電界を与えていくことで媒体７に所期の表示が行われる。その表示動作についてさらに図３を用いて詳細に説明する。
【００６３】
上部電極９ａが−、下部電極９ｂが＋になるように制御電源１２を設定する（図中Ｌ側にスイッチを接続する）と電界方向が下から上になるのでコロナイオン（この場合では−）が通過し、上部電極９ａが＋、下部電極９ｂが−になるように制御電源１２を設定する（図中Ｒ側にスイッチを接続する）と電界方向が上から下になるのでコロナイオン（この場合では−）が通過できない。
【００６４】
この原理にて媒体７上には、情報に応じたコロナイオンによる静電像が形成されるため、これら静電像と基準電極８とに図中Ｅ１のような電界が発生することになり、媒体７に所期の情報を書き込むことができる。媒体７に書き込んだ情報を消去する場合は、コロナ
ワイヤ１１に書き込み動作とは逆の極性の電位を加え、コロナイオンを通過可能な状態にして走査すれば、書き込み時とは逆の極性のコロナイオンが媒体７上にのり、情報は消去される。
【００６５】
このとき表示解像度が、外部書き込み装置５に備えられたライン型ヘッドの解像度に依存することになるので、紙に印字されたプリント並みの表示も可能となる。従って、受信したデータを本端末の表示部である媒体７の領域Ｂに表示することで内容を確認することが、感熱紙や普通紙に印字して確認することに比べて不快感や違和感がなくなるため、紙への印字機会を減らすことが可能となる。
【００６６】
かかる構成によれば電界の作用によって光学的特性が可逆的に変化する媒体７が、キー入力、通信機能を有した端末の表示手段として使用できるため、リアルタイムに表示する領域と高解像度に表示する領域とを有するので、利用者にとって、端末操作の際にはいらいらすることなく快適に操作でき、受信したデータに対しては、紙に印字されたプリント並みの表示のため読みやすい。
【００６７】
従って、紙への印字機会を減らすことが可能となるため環境負荷を低減でき、ランニングコストも抑制することもできる。
【産業上の利用可能性】
【００６８】
本発明にかかるシート媒体は、リアルタイムに表示する領域と高解像度に表示する領域とを有するので、キー入力や通信手段を有した端末の表示装置等として有用である。
【図面の簡単な説明】
【００６９】
【図１】本発明の実施の形態１におけるシート媒体の平面図
【図２】本発明の実施の形態１におけるシート媒体の断面図
【図３】本発明の実施の形態１における外部書き込み装置に備えられたライン型ヘッドの断面図
【図４】本発明の実施の形態２におけるシート媒体の平面図
【図５】本発明の実施の形態３におけるシート媒体の断面図
【図６】本発明の実施の形態４におけるシート媒体の断面図
【図７】本発明の実施の形態５におけるシート媒体を用いた通信端末の構成図
【図８】従来のシート媒体の断面図
【符号の説明】
【００７０】
１    シート媒体
２    透明電極
３    行電極ドライバＩＣ
４    列電極ドライバＩＣ
５    外部書き込み装置
６    透明部材
７    媒体
８    基準電極
９ａ    上部電極
９ｂ    下部電極
８    基準電極
９    制御電極
１０    イオン源
１１    コロナワイヤ
１２    制御電源
１３    バイアス電源
１４    電極
１５    べた電極
１６    光ラインヘッド
１７    光導電層
１８    ファクシミリ端末装置
１９    キー入力手段
２０    通信手段
２１    制御手段
【図１】
2005326543.tif 000003
【図２】
2005326543.tif 000004
【図３】
2005326543.tif 000005
【図４】
2005326543.tif 000006
【図５】
2005326543.tif 000007
【図６】
2005326543.tif 000008
【図７】
2005326543.tif 000009
【図８】
2005326543.tif 000010